(57)【要約】【課題】  携帯電話機などの携帯機器に接続して使用する携帯用ラジオ受信機の携帯性と利便性とを向上させるため、使用者の首から吊り下げて使用するストラップ状ラジオ受信機を提供すること。【解決手段】  本発明であるストラップ状ラジオ受信機１は、ストラップの各端部を結合して形成されるループの直径が人体の首の直径以上の大きさを有しているネックストラップ２と、ＡＭラジオ放送用電波を受信するＡＭアンテナ３ａを有するラジオチューナ３と、前記ラジオチューナに接続されている各種配線の入出力端であって携帯用電子機器と接続される入出力端が接続されている接続端子４と、前記接続端子に接続される携帯用電子機器を取り付けるための取付部材５とを具備している。そして、前記ラジオチューナ３と前記取付部材５は、前記ネックストラップのループの対向する位置にそれぞれ配設されているという特徴を有している。【選択図】      図１
2006197088.tif 000002
【特許請求の範囲】
【請求項１】
ストラップの各端部を結合して形成されるループの直径が人体の首の直径以上の大きさを有しているネックストラップと、
ＡＭラジオ放送用電波を受信するＡＭアンテナを有するラジオチューナと、
前記ラジオチューナに接続されている各種配線の入出力端であって携帯用電子機器と接続される入出力端が接続されている接続端子と、
前記接続端子に接続される携帯用電子機器を取り付けるための取付部材と
を具備しており、
前記ラジオチューナと前記取付部材とは、前記ネックストラップのループの対向する位置にそれぞれ配設されている
ことを特徴とするストラップ状ラジオ受信機。
【請求項２】
前記ＡＭアンテナは、棒状に形成されたフェライトにコイルを巻回して形成されていることを特徴とする請求項１に記載のストラップ状ラジオ受信機。
【請求項３】
前記ＡＭアンテナの長手方向は、前記ネックストラップの長手方向に対して平行に配設されていることを特徴とする請求項１または請求項２に記載のストラップ状ラジオ受信機。
【請求項４】
前記ＡＭアンテナは、前記ラジオチューナに隣位して配設されていることを特徴とする請求項１から請求項３のいずれか１項に記載のストラップ状ラジオ受信機。
【請求項５】
前記ラジオチューナは、ＦＭラジオ放送用電波を受信するＦＭアンテナを有していることを特徴とする請求項１から請求項４のいずれか１項に記載のストラップ状ラジオ受信機。
【請求項６】
前記ＦＭアンテナは、前記ラジオチューナと前記接続端子との間に配設されたラジオチューナ用グランド配線に接続されていることを特徴とする請求項５に記載のストラップ状ラジオ受信機。
【請求項７】
前記ラジオチューナは、受信したラジオ放送用電波を電気信号に変換して得られる音声信号を前記接続端子から出力する音声出力用配線を有していることを特徴とする請求項１から請求項６のいずれか１項に記載のストラップ状ラジオ受信機。
【請求項８】
前記ラジオチューナを被覆しているラジオチューナの筐体または前記ネックストラップは、前記接続端子に接続されている携帯用電子機器から送信された音声信号を出力するための出力端子を有していることを特徴とする請求項１から請求項７のいずれか１項に記載のストラップ状ラジオ受信機。
【請求項９】
前記ＦＭアンテナは、前記ラジオチューナと前記出力端子との間に配設された出力端子用グランド配線に接続されていることを特徴とする請求項５から請求項８のいずれか１項に記載のストラップ状ラジオ受信機。
【請求項１０】
前記ネックストラップは、
ラジオチューナの電源のオン／オフ、
聴取音の音量調整、
聴取するラジオ放送の周波数調整、
聴取するラジオ放送におけるＡＭ／ＦＭ切替、または、
前記接続端子に接続した携帯用電子機器に送信する特定の命令
に関する操作を行なうための入力部を少なくとも１つ以上有している入力装置を備えていることを特徴とする請求項１から請求項９のいずれか１項に記載のストラップ状ラジオ受信機。
【請求項１１】
前記ネックストラップは、前記接続端子に接続した携帯用電子機器に送信する音声を電気信号に変換する音声入力装置を有していることを特徴とする請求項１から請求項１０のいずれか１項に記載のストラップ状ラジオ受信機。
【発明の詳細な説明】
【技術分野】
【０００１】
本発明は、ラジオ放送用電波を受信するストラップ状ラジオ受信機に係り、特に、所望のＡＭラジオ放送やＦＭラジオ放送などを聴取するために、携帯電話機などの携帯機器に好適に用いられるストラップ状ラジオ受信機に関する。
【背景技術】
【０００２】
従来より、屋外に持ち出して使用することが可能となる携帯電話機やラジオ受信機などの携帯用電子機器（以下、「携帯機器」という。）が多くの人に利用されている。最近では、携帯電話機と携帯用ラジオ受信機の両機器を携帯するというように、数種の携帯機器を屋外に同時に持ち出して使用することも多くなっている。しかし、携帯電話機と携帯用ラジオ受信機を同時に持ち運ぶと、それらの本体部分がかさばってしまい、携帯機器の携帯性を損ねる結果となる。そのため、携帯電話機に接続するイヤホーンなどにラジオ受信機の機能を内蔵するといったような、携帯電話機などの付属機器に他の機能を有する携帯機器を内蔵する携帯機器が多数提案されている。
【０００３】
携帯電話機などの携帯機器とＡＭラジオ受信機とを組み合わせて使用する従来例としては、以下の２つの従来技術などが提案されていた。
【０００４】
第１の従来例としては、携帯電話機などの携帯機器に形成されているインターフェースコネクタなどの接続端子に、ＡＭラジオ受信機を接続し、当該携帯電話機のアンプ（音声増幅部）を利用して、受信したＡＭラジオ放送を聴くことが可能となる「携帯端末装置用のアダプタ」などが提案されていた（特許文献１を参照）。
【０００５】
また、第２の従来例としては、携帯電話機などの携帯機器に形成されているイヤホーンジャックに、ＦＭラジオ受信機に係る機能を有するイヤホーンを接続し、携帯電話機が着信中以外の時に受信したＦＭラジオ放送を聴くことが可能となる「携帯電話機用イヤホンおよびイヤホンマイク」が提案されていた（特許文献２を参照）。
【０００６】
【特許文献１】特開２００２−１６４９８８号公報
【特許文献２】特開平１１−２５２２２１号公報
【発明の開示】
【発明が解決しようとする課題】
【０００７】
しかしながら、前述した従来技術においては、ＡＭラジオ放送の受信状態や、受信したＦＭラジオ放送の音声出力などに関して、以下に述べるような問題が生じていた。
【０００８】
第１の従来例としては、ＡＭラジオ受信機を内蔵している付属機器が携帯電話機などの携帯機器に隣接しているため、ＡＭラジオ放送の受信時に、接続先の携帯機器から生じるデジタルノイズの影響を受けてしまい、ＡＭ放送用電波の受信感度が低下するという問題があった。
【０００９】
第２の従来例としては、ＦＭラジオ受信機に係る機能を有するイヤホーンによってＦＭラジオ放送を聴くためには、当該イヤホーンのグランド線をＦＭラジオ受信機用アンテナ（以下、「ＦＭアンテナ」という。）として使用する必要があるが、受信したＦＭラジオ放送を接続先の携帯機器のスピーカから出力したい場合であっても、当該ＦＭアンテナ機能を有するイヤホーンを使用者の耳に装着して当該グランド線を伸張しない限り、聴取を所望するＦＭラジオ放送を受信することが不可能となるため、接続先の携帯機器のスピーカから当該ＦＭラジオ放送を音声出力するのに不便であるという問題があった。
【００１０】
そこで、本発明はこれらの点に鑑みてなされたものであり、本発明の目的としては、携帯電話機などの携帯機器に接続して使用する携帯用ラジオ受信機の携帯性と利便性とを向上させるために使用者の首から吊り下げて使用することのできるストラップ状ラジオ受信機を提供することにある。
【００１１】
また、本発明の他の目的としては、ＡＭラジオ受信機能を有するそのストラップ状ラジオ受信機において、受信するＡＭラジオ放送用電波の受信感度を向上させることのできるストラップ状ラジオ受信機を提供することにある。
【００１２】
また、本発明の更に他の目的としては、使用者の耳にイヤホーンを装着せずとも、ＦＭラジオ放送用電波を受信することのできるストラップ状ラジオ受信機を提供することにある。
【００１３】
また、本発明の更に他の目的としては、携帯機器もしくはその携帯機器に接続端子を介して接続するラジオ受信機に対してイヤホーンなどの外部スピーカを装着せずとも、前記接続端子に接続されている携帯機器の内蔵スピーカから、受信したラジオ放送を聴取することが可能となるストラップ状ラジオ受信機を提供することにある。
【００１４】
また、本発明の更に他の目的としては、接続端子を介して相互に接続されている携帯機器およびラジオ受信機における重複した機能を有する装置をいずれか一方に設けて、コスト削減と軽量化を可能とするストラップ状ラジオ受信機を提供することにある。
【００１５】
また、本発明の更に他の目的としては、受信したラジオ放送を、接続端子に接続されている携帯機器の内蔵スピーカまたはラジオ受信機に接続するイヤホーンなどの外部スピーカの少なくとも一方から聴取することが可能となるストラップ状ラジオ受信機を提供することにある。
【００１６】
また、本発明の更に他の目的としては、接続端子を介して相互に接続されている携帯機器およびラジオ受信機の両機器を集中操作することが可能となるストラップ状ラジオ受信機を提供することにある。
【００１７】
また、本発明の更に他の目的としては、接続端子に接続されている携帯機器に音声入力することが可能となるストラップ状ラジオ受信機を提供することにある。
【課題を解決するための手段】
【００１８】
前述した目的を達成するため、本発明であるストラップ状ラジオ受信機は、ストラップの各端部を結合して形成されるループの直径が人体の首の直径以上の大きさを有しているネックストラップと、ＡＭラジオ放送用電波を受信するＡＭアンテナを有するラジオチューナと、前記ラジオチューナに接続されている各種配線の入出力端であって携帯用電子機器と接続される入出力端が接続されている接続端子と、前記接続端子に接続される携帯用電子機器を取り付けるための取付部材とを具備していることを本源的な特徴として有している。
【００１９】
そして、本発明の第1の態様として、本発明のストラップ状ラジオ受信機は、前記ラジオチューナと前記取付部材とは、前記ネックストラップのループの対向する位置にそれぞれ配設されているという特徴を有している。
【００２０】
第２の態様として、本発明の第１の態様を有するストラップ状ラジオ受信機は、当該ＡＭアンテナが、棒状に形成されたフェライトにコイルを巻回して形成されているという特徴を有している。
【００２１】
第３の態様として、本発明の第１または第２の態様を有するストラップ状ラジオ受信機は、当該ＡＭアンテナの長手方向が、当該ネックストラップの長手方向に対して平行に配設されているという特徴を有している。
【００２２】
第４の態様として、本発明の第１から第３のいずれか１の態様を有するストラップ状ラジオ受信機は、当該ＡＭアンテナが、当該ラジオチューナに隣位して配設されているという特徴を有している。
【００２３】
第５の態様として、本発明の第１から第４のいずれか１の態様を有するストラップ状ラジオ受信機は、当該ラジオチューナが、ＦＭラジオ放送用電波を受信するＦＭアンテナを有しているという特徴を有している。
【００２４】
第６の態様として、本発明の第５の態様を有するストラップ状ラジオ受信機は、当該ＦＭアンテナが、当該ラジオチューナと当該接続端子との間に配設されたラジオチューナ用グランド配線に接続されているという特徴を有している。
【００２５】
第７の態様として、本発明の第１から第６のいずれか１の態様を有するストラップ状ラジオ受信機は、当該ラジオチューナが、受信したラジオ放送用電波を電気信号に変換して得られる音声信号を当該接続端子から出力する音声出力用配線を有しているという特徴を有している。
【００２６】
第８の態様として、本発明の第１から第７のいずれか１の態様を有するストラップ状ラジオ受信機は、当該ラジオチューナを被覆しているラジオチューナの筐体、または、当該ネックストラップが、当該接続端子に接続されている携帯用電子機器から送信された音声信号を出力するための出力端子を有しているという特徴を有している。
【００２７】
第９の態様として、本発明の第１から第９のいずれか１の態様を有するストラップ状ラジオ受信機は、当該ＦＭアンテナが、当該ラジオチューナと当該出力端子との間に配設された出力端子用グランド配線に接続されているという特徴を有している。
【００２８】
第１０の態様として、本発明の第１から第９のいずれか1の態様を有するストラップ状ラジオ受信機は、当該ネックストラップが、ラジオチューナの電源オン／オフ、聴取音の音量調整、聴取するラジオ放送の周波数調整、聴取するラジオ放送におけるＡＭ／ＦＭ切替、または、当該接続端子に接続した携帯用電子機器に送信する特定の命令に関する操作を行なうための入力部を少なくとも１つ以上有している入力装置を備えているという特徴を有している。
【００２９】
第１１の態様として、本発明の第１から第１０のいずれか１の態様を有するストラップ状ラジオ受信機は、当該ネックストラップが、当該接続端子に接続した携帯用電子機器に送信する音声を電気信号に変換する音声入力装置を有しているという特徴を有している。
【発明の効果】
【００３０】
本発明のストラップ状ラジオ受信機は、前記のように形成されているために、携帯電話機などの携帯機器を本発明のストラップ状ラジオ受信機に接続して首から吊り下げるだけで、その携帯機器にラジオ受信機能を付加することが可能となるため、複数個の携帯機器に係る携帯性と利便性を向上させることができるという効果を奏する。
【００３１】
また、本発明のストラップ状ラジオ受信機は、ＡＭラジオ放送用電波およびＦＭラジオ放送用電波の受信感度の向上、イヤホーン等の接続不要、そして、コントローラやマイクなどの各種入力装置による利便性を向上させることができるなどの効果を奏する。
【発明を実施するための最良の形態】
【００３２】
以下、図１から図３を参照して、本発明のストラップ状ラジオ受信機における実施形態を、説明する。ここで、図１は、本発明のストラップ状ラジオ受信機における実施形態の概略正面図、図２は、本発明のストラップ状ラジオ受信機における実施形態が有している入力装置の拡大図、図３は、本発明のストラップ状ラジオ受信機における実施形態の回路図を示している。なお、本実施形態のストラップ状ラジオ受信機を接続する携帯機器としては、当該携帯機器の一例として、音声信号を入力および出力することが可能な携帯電話機１１を用いている。
【００３３】
本実施形態のストラップ状ラジオ受信機１は、図１に示すように、ループ状のネックストラップ２、ラジオチューナ３、ストラップ状ラジオ受信機１と携帯電話機１１とを接続するための接続端子４、携帯電話機１１を取り付けるための取付部材５、音声信号出力用の出力端子６、構成各部の動作を指示する入力装置７および携帯電話機１１への音声入力用の音声入力装置８を備えている。
【００３４】
更に説明すると、ネックストラップ２としては、絶縁性材料を用いて中空形成させた紐状部材（以下、「ストラップ」という。）を用いて形成されている。ストラップ２としては、その中空部分に、ラジオチューナ３、出力端子６、入力装置７および音声入力装置８に接続している各配線を配設するため、例えば、繊維状のポリアミド樹脂を編み込んで筒状に形成したもの、または、ＰＥＴ（ポリエチレンテレフタレート）もしくはＰＩ（ポリイミド）などを用いて形成された可撓性帯状フィルムを積層させたものなど、耐荷重性と電気絶縁性とを有する樹脂を用いて形成されていることが好ましい。このストラップ２は、樹脂を用いて形成された結合部材２ｊによってストラップの両端部を結合されているため、ループ状に形成されている。そのループの直径は、少なくとも人体の首の直径以上の大きさ、好ましくは人体の首にストラップ２を吊り下げた際に結合部材２ｊが人体の胸部から腹部の間に配設される大きさを有している。
【００３５】
ラジオチューナ３は、ラジオチューナ３の構成部材を被覆する筐体３ｃ内に、ラジオチューナ本体３ｂ、ＡＭアンテナ３ａおよびＦＭアンテナ３ｆを備えている。ラジオチューナ本体３ｂとしては、後述するように、任意の周波数を受信するための同調回路および同調回路によって受信された電波から音声信号を検波するための検波回路を有して形成されている回路を用いている。ＡＭアンテナ３ａとしては、棒状に形成されたフェライトにコイルアンテナを巻回して形成されているフェライトバーアンテナを用いることが受信感度の向上の観点から好ましい。
【００３６】
接続端子４としては、ストラップ状ラジオ受信機１と携帯電話機１１とを接続できるものであれば良い。具体的には、ラジオチューナ３、出力端子６、入力装置７および音声入力装置８に接続している各配線の端部に形成された入出力端子（図示せず）を有する接続端子４であればどのような形状でも良い。本実施形態のストラップ状ラジオ受信機１に配設されている接続端子４においては、第３世代以降の携帯電話機と接続することを可能とするために、規格化された形状である平型プラグが用いられている。その接続端子４は、ラジオチューナ３、出力端子６、入力装置７および音声入力装置８に接続している配線の端部に形成された入出力端子を合計１０個有して形成されている。
【００３７】
ストラップ状ラジオ受信機１に携帯電話機１１を取り付ける取付部材５としては、リング、フック、クリップなど、本実施形態のストラップ状ラジオ受信機１に携帯電話機１１を取り付けるためのものであれば良い。本実施形態に配設されている取付部材５はストラップ２の結合部材２ｊ部分に設けられており、携帯電話機１１のストラップ用取付穴に取り付けることを容易とするために、樹脂を用いて形成されたリング状ストラップが用いられている。
【００３８】
音声信号出力用の出力端子６としては、少なくとも、接続端子４を経て携帯電話機１１から送信されて来る音声信号に係る音声電流を流すための配線の端部に形成された電極、および、接続端子４に接続しているグランド配線の端部に形成された電極をもって形成されている端子（共に図示せず）を用いている。本実施形態のストラップ状ラジオ受信機１に配設されている出力端子６は、ラジオチューナ３のラジオチューナ本体３ｂに設けられており、使用時においてイヤホーンを接続することが多いことから、イヤホーンジャックが用いられている。
【００３９】
構成各部の動作を指示する入力装置７としては、図１および図２に示すように、各種の動作を指示する入力素子等を備えたコントローラが用いられている。本実施形態においては、入力装置７として、ラジオチューナ３の電源をオン／オフするために用いるラジオチューナ３の電源スイッチ７Ｂ、ラジオチューナ３の音声出力信号や携帯電話機１１から得られる音声出力の音量調節を行なうために用いる音量調整ボタン７Ｄおよび７Ｅ、ラジオ放送の周波数調整に用いる周波数調整ボタン７Ｆおよび７Ｇ、聴取するラジオ放送のＡＭ／ＦＭの切替に用いるＡＭ／ＦＭ切替ボタン７Ｃ、携帯電話機１１による通話を指示する通話ボタン７Ａなどの入力部が配設されている。これらの入力部は、ストラップ状ラジオ受信機１の構成各部や、接続端子４に接続されている携帯機器である携帯電話機１１に対して特定の命令を送信するためのものであり、ラジオチューナ３や携帯電話機１１を操作するための入力部を少なくとも１つ以上有していれば良い。この入力装置７の入力部７Ａ、７Ｂ、７Ｃ、７Ｄ、７Ｅ、７Ｆ、７Ｇとしては、従来から使用されているスイッチング素子を用いて形成することが可能である。これらの入力部７Ａ、７Ｂ、７Ｃ、７Ｄ、７Ｅ、７Ｆ、７Ｇとしては、可撓性を有して形成することが可能となることから、特にメンブレンスイッチを用いることが好ましい。
【００４０】
携帯電話機１１への音声入力用の音声入力装置８としては、図１に示すように、従来から用いられている小型かつ軽量なマイクを使用している。
【００４１】
前述した各部材を有する本実施形態のストラップ状ラジオ受信機１においては、図１に示すように、ラジオチューナ３と取付部材５とがストラップ２のループの対向する位置にそれぞれ配設されている。取付部材５が設けられているストラップ２の結合部材２ｊ部分には接続端子４も配設されている。そして、ラジオチューナ３に接続しているＡＭアンテナ３ａの長手方向は、ストラップ２の長手方向と平行に配設されている。具体的には、棒状フェライトの長手方向がストラップ２の長手方向に沿う方向に配設されている。また、ＡＭアンテナ３ａは、ＡＭラジオ放送用電波の受信帯域内においてＡＭアンテナ３ａのインダクタンス値を一定とするため、ラジオチューナ３と配設上可能な限りにおいて、隣位して配設されている。
【００４２】
各入力部７Ａ、７Ｂ、７Ｃ、７Ｄ、７Ｅ、７Ｆ、７Ｇを有する入力装置７は、図１に示すように、操作性を向上させるため、ストラップ２の結合部材２ｊに隣位して配設されていることが好ましい。
【００４３】
携帯電話機１１への音声入力用の音声入力装置８は、図１に示すように、本実施形態のストラップ状ラジオ受信機１を使用する者（以下、「使用者」という。）の発話音声を拾いやすくするため、本実施形態のストラップ状ラジオ受信機１を使用者に装着した際、ストラップ２上の使用者の口元に隣位する位置に配設されている。
【００４４】
前述したように形成されているストラップ状ラジオ受信機１は、図３に示すように、携帯電話機１１と接続端子４部分を介して電気的に接続されている。ストラップ状ラジオ受信機１のラジオチューナ本体３ｂはＡＭアンテナ３ａおよびＦＭアンテナ３ｆを有している。また、当該ラジオチューナ本体３ｂは、ＡＭアンテナ３ａおよびＦＭアンテナ３ｆの他に、Ｖｃｃ配線９ｖ、ラジオチューナ用グランド配線９ｇ、ＳＤＡ配線９ｄ、ＳＣＬ配線９ｃ、Ｒ出力配線９ｒおよびＬ出力配線９ｌを有している。また、ラジオチューナ３の筐体３ｃに形成されている出力端子６は、Ｒ入力配線１０ｒ、Ｌ入力配線１０ｌおよび出力端子用グランド配線１０ｇを有している。Ｖｃｃ配線９ｖは、携帯電話機１１の電源部１１ｐからラジオチューナ３に駆動電力を入力する配線として用いられている。ラジオチューナ用グランド配線９ｇおよび出力端子用グランド配線１０ｇは、接地するための配線として用いられている。ＳＤＡ配線９ｄは、携帯電話機１１の制御部１１ｃからシリアルデータを入力するための配線として用いられている。ＳＣＬ配線９ｃは、携帯電話機１１の制御部１１ｃからシリアルクロックを入力するための配線として用いられている。Ｒ出力配線９ｒおよびＬ出力配線９ｌは、ラジオチューナ３から携帯電話機１１へ音声信号を送信するための配線として用いられている。Ｒ入力配線１０ｒおよびＬ入力配線１０ｌは、携帯電話機１１からラジオチューナ３へ音声信号を送信するための配線として用いられている。
【００４５】
ラジオチューナ３に接続しているＡＭアンテナ３ａは、当該ラジオチューナ３に隣接して配設させることによって、棒状フェライトに巻回しているＡＭアンテナ３ａのコイルアンテナを、ＡＭアンテナ３ａの配設上可能な限りにおいて、短く形成されている。また、ＦＭアンテナ３ｆは、直流の流れを遮断するコンデンサＣ１、Ｃ２を介在させ、ラジオチューナ用グランド配線９ｇおよび出力端子用グランド配線１０ｇに接続されている。また、ＦＭアンテナ３ｆとラジオチューナ用グランド配線９ｇとの間およびＦＭアンテナ３ｆと出力端子用グランド配線１０ｇとの間には、受信した電波によって生じる交流の流れを防止するため、コイルＬ１、Ｌ２が配設されている。
【００４６】
前述したＶｃｃ配線９ｖ、ラジオチューナ用グランド配線９ｇ、ＳＤＡ配線９ｄ、ＳＣＬ配線９ｃ、Ｒ出力配線９ｒ、Ｌ出力配線９ｌ、Ｒ入力配線１０ｒ、および、Ｌ入力配線１０ｌの端部に形成された電極は、携帯電話機１１と接続する接続端子４に配設されている。また、入力装置７に配設されているＶｃｏｎｔ配線、グランド配線および音声入力装置８に係るマイク配線９ｍの端部に形成されている電極も当該接続端子４に配設されている。なお、音声入力装置８に係るマイク配線９ｍとしては、クロストーク（漏話）を防止するため、マイクに係る配線の周囲にグランド配線を配設したシールドケーブルを使用することが好ましい。
【００４７】
次に、本実施形態のストラップ状ラジオ受信機１の作用を説明する。
【００４８】
本実施形態のストラップ状ラジオ受信機１は、そのストラップ状ラジオ受信機１の取付部材５に携帯電話機１１を取り付け、そのストラップ状ラジオ受信機１の使用者の首から吊り下げた際に、その取付部材５に取り付けられた携帯電話機１１の重量によって、携帯電話機１１を使用者の胸部もしくは腹部付近に、ストラップ２の中央付近に配設されたラジオチューナ３を使用者の首の後部に配置させるようになっている。
【００４９】
このストラップ状ラジオ受信機１の接続端子４に携帯電話機１１が電気的に接続されると、ラジオチューナ３のＶｃｃ配線９ｖを経由して、携帯電話機１１からラジオチューナ３にラジオチューナ３の駆動電力が供給される。駆動電力が供給されたラジオチューナ３は、従来技術の同調回路および検波回路を用いて、接続しているＡＭアンテナ３ａおよびＦＭアンテナ３ｆから受信したＡＭラジオ放送用電波およびＦＭラジオ放送用電波を音声信号に変換する。
【００５０】
このＡＭアンテナ３ａは、ループ状に形成されたストラップ２の長手方向における中央付近に配設されているため、ストラップ２の取付部材５に取り付けられている携帯電話機１１とＡＭアンテナ３ａとの間の距離を離すことが可能になると共に使用者を介在させることが可能となっている。両者の距離が離れることにより、ＡＭアンテナ３ａは、携帯電話機１１から生じるデジタルノイズの影響を受けにくくなる。更に、使用者の人体が介在すると、携帯機器から発せられるノイズをその使用者の人体によって遮断することが可能となるため、ＡＭアンテナ３ａは、携帯電話機１１から生じるデジタルノイズの影響を受けずに、ＡＭラジオ放送用電波を受信することが可能となっている。
【００５１】
また、このＡＭアンテナ３ａは、当該ＡＭアンテナ３ａの長手方向がストラップ２の長手方向に沿う方向に配設され、ストラップ状ラジオ受信機１の使用時にＡＭアンテナ３ａが水平となるため、垂直偏波であるＡＭラジオ放送用電波を効率よく受信することが可能となっている。そして、そのＡＭアンテナ３ａは、ラジオチューナ３に隣接して配設させていることによって、ラジオチューナ３に要求されるＡＭアンテナ３ａのインダクタンス値をＡＭラジオ放送用電波の周波数帯域内において一定にすることが可能となるため、ＡＭラジオ放送用電波を安定して受信することが可能となっている。
【００５２】
ＦＭアンテナ３ｆは、当該ＦＭアンテナ３ｆにラジオチューナ用グランド配線９ｇを接続させているため、ラジオチューナ用グランド配線９ｇからもＦＭラジオ放送用電波を受信することが可能となる。また、ＦＭアンテナ３ｆは、ラジオチューナ３と出力端子６との間に配設されている出力端子用グランド配線１０ｇからもＦＭラジオ放送用電波を受信することが可能となっている。そのため、ＦＭラジオ放送用電波の受信可能部分は、ＦＭアンテナ３ｆの配設上可能な限りにおいて長く設定することが可能となっている。すなわち、このＦＭアンテナ３ｆは、ストラップ２内に配設されたラジオチューナ用グランド配線９ｇおよび出力端子用グランド配線１０ｇに接続させていることによって、ＦＭラジオ放送用電波の受信可能部分の全長が長くなり、ＦＭラジオ受信帯域の波長に近づけることが可能となる。そのため、ＦＭラジオ放送用電波を効率よく受信することが可能となっている。
【００５３】
これらＡＭアンテナ３ａおよびＦＭアンテナ３ｆが接続されているラジオチューナ３は、ストラップ状ラジオ受信機１の接続端子４に接続された携帯電話機１１の制御部（マイコン）１１ｃによって、聴取したいラジオ放送用電波の選択を制御することが可能となっている。すなわち、本実施形態のストラップ状ラジオ受信機１は、ラジオチューナ３の制御部を携帯電話機１１の制御部１１ｃと共用にしているため、ラジオ受信機の周波数制御に係る部品を削減することが可能となっている。そのため、本実施形態のストラップ状ラジオ受信機１を小型化、軽量化および省コスト化することが可能となっている。
【００５４】
ラジオチューナ３から得られた音声出力は、Ｒ出力配線９ｒまたはＬ出力配線９ｌを経由して、接続端子４を経て携帯電話機１１に内蔵しているオーディオアンプ１１ａへ送信される。そして、ストラップ状ラジオ受信機１は、当該携帯電話機１１のオーディオアンプ１１ａを用いて、音声信号を増幅させる。増幅された音声信号は、Ｒ入力配線１０ｒまたはＬ入力配線１０ｌを経由して、ストラップ状ラジオ受信機１の出力端子６に接続されているイヤホーンなどの外部スピーカ１６から音声出力として出力することが可能となっている。また、増幅された音声信号は、マルチプレクサなどの入力信号選択手段１２Ｒ１、１２Ｌ１およびデマルチプレクサなどの出力信号選択手段１２Ｒ２、１２Ｌ２を接続先の携帯電話機１１に配設することによって、携帯電話機１１に内蔵されているスピーカ１１ｓからも音声出力として出力することが可能となっている。つまり、ストラップ状ラジオ受信機１に接続されているイヤホーンなどの外部スピーカ１６のみならず、携帯電話機１１に内蔵されているスピーカ１１ｓからも受信したラジオ放送を聞くことが可能となっている。なお、入力信号選択手段１２Ｒ１、１２Ｌ１および出力信号選択手段１２Ｒ２、１２Ｌ２は、携帯電話機１１の着信と連動させて自動着信するよう設定しておくことが好ましい。
【００５５】
また、ストラップ状ラジオ受信機１は、携帯電話機１１のオーディオアンプ１１ａをラジオチューナ３のオーディオアンプ１１ａとして用いているため、小型化、軽量化および省コスト化を実現している。本実施形態のストラップ状ラジオ受信機１においては、制御部１１ｃおよびオーディオアンプ１１ａを携帯電話機１１と共用することによって、ラジオチューナ３の制御部およびラジオチューナ３のオーディオアンプをラジオチューナ３に配設した場合と比較して約２０％程度の軽量化を実現することが可能となっている。
【００５６】
そして、本実施形態のストラップ状ラジオ受信機１は、当該ストラップ状ラジオ受信機１に配設されているラジオチューナ３に関する操作ボタンや携帯電話機１１の通話ボタン７Ａなどを有している入力装置７を有しているため、所望の操作を携帯電話機１１の制御部１１ｃに伝達することが可能となっている。
【００５７】
また、本実施形態のストラップ状ラジオ受信機１は、当該ストラップ状ラジオ受信機１のストラップ２上にマイクなどの音声入力装置８を内蔵しているため、接続端子４に接続されている携帯機器に音声入力することが可能となっている。当該音声入力装置８は、いわゆるハンズフリーに必要な装置として使用することが可能となっている。この場合、接続先の携帯電話機１１には、本実施形態のストラップ状ラジオ受信機１に配設されている音声入力装置８、または、携帯電話機１１に内蔵されているマイクなどの音声入力装置１１ｍに係る音声入力信号を自動選択するように設定されている入力信号選択手段１２ｍを有していることが好ましい。
【００５８】
すなわち、前述したように、本実施形態のストラップ状ラジオ受信機１は、本発明のストラップ状ラジオ受信機の取付部材５および接続端子４に携帯電話機１１を接続し、使用者の首から吊り下げることによって、接続されたその携帯機器にラジオ受信機能を付加することが可能となっており、携帯電話機１１およびラジオ受信機１を使用する際の携帯性と利便性を向上させている。
【００５９】
また、本実施形態のストラップ状ラジオ受信機は、ＡＭアンテナおよびＦＭアンテナの配設に特長を有しているため、ＡＭラジオ放送用電波およびＦＭラジオ放送用電波の受信感度を向上させることが可能となっている。
【００６０】
そして、本実施形態のストラップ状ラジオ受信機１は、コントローラやマイクなどの各種入力装置７、８を有しているため、本実施形態のストラップ状ラジオ受信機１に係る利便性を更に向上させることが可能となっている。
【００６１】
なお、本発明は、前述した実施形態などに限定されるものではなく、必要に応じて種々の変更が可能である。例えば、本実施形態のストラップ状ラジオ受信機においては、当該ストラップ状ラジオ受信機のラジオチューナまたはネックストラップに、イヤホーンなどの外部スピーカを接続する出力端子を設けることによって、ストラップ状ラジオ受信機とイヤホーンなどの外部スピーカとを別体としているが、本実施形態のストラップ状ラジオ受信機とイヤホーンなどの外部スピーカとを一体形成したストラップ状ラジオ受信機においても、本実施形態のストラップ状ラジオ受信機から得られる作用効果と同様の作用効果を得ることが可能である。
【図面の簡単な説明】
【００６２】
【図１】本発明のストラップ状ラジオ受信機における実施形態の一例を示す概略正面図
【図２】本発明のストラップ状ラジオ受信機における一実施形態が有する入力装置の拡大図
【図３】本発明のストラップ状ラジオ受信機における一実施形態が有する回路図
【符号の説明】
【００６３】
１    ストラップ状ラジオ受信機
２    ネックストラップ
２ｊ  結合部材
３    ラジオチューナ
３ａ  ＡＭアンテナ
３ｂ  ラジオチューナ本体
３ｃ  ラジオチューナの筐体
３ｆ  ＦＭアンテナ
４    接続端子
５    取付部材
６    出力端子
７    入力装置
８    音声入力装置
１１  携帯機器（携帯電話機）
１６  外部スピーカ（イヤホーン）
【図１】
2006197088.tif 000003
【図２】
2006197088.tif 000004
【図３】
2006197088.tif 000005